(57)【要約】  他の容器から内容物を受けるための容器（１０）を開示する。容器（１０）は頭部を持つ。頭部はそれを貫通する内孔（２８）を持つ受けオリフィス（２６）を有する首部（１２）を持つ。首部（１２）はさらに縦方向に伸びる複数のスプラインを有する内部表面を持つ。
2005511428.tif 000002
【特許請求の範囲】
【請求項１】
ａ) チャンバーを構成する本体壁、
ｂ) 頭部、ここで該頭部は首部および首部と本体壁の間を連結する肩部を有し、該首部はその中にオリフィス及びそれを貫通する内孔を持ち、該オリフィスは内孔を介してチャンバーと連結しており、該首部はさらに受けオリフィス及び／又は内孔とつながる内部表面を持ち、該内部表面はそれから伸びかつ首部の縦方向の伸長に対して実質的に同方向に伸長する複数のスプラインを持つ
を有するチューブ容器。
【請求項２】
スプラインが首部の縦方向に対して同方向に伸長する請求項１記載のチューブ容器。
【請求項３】
スプラインが内部表面の周りの全周に位置している請求項１記載のチューブ容器。
【請求項４】
首部が２個から２４個のスプラインを持つ請求項１記載のチューブ容器。
【請求項５】
首部が４個から２４個のスプラインを持つ請求項１記載のチューブ容器。
【請求項６】
首部が８個から２０個のスプラインを持つ請求項１記載のチューブ容器。
【請求項７】
首部がキャップ又はアプリケーターノズルのねじ山を受けるに適したねじ山を構成する外部表面を持つことを特徴とする請求項１記載のチューブ容器。
【請求項８】
スプラインがプラスチックで出来ている請求項１記載のチューブ容器。
【請求項９】
ａ) チャンバーを構成する貯蔵部、
ｂ) 頭部、ここで該頭部は貯蔵部とつながる首部を有し、該首部はその中に受けオリフィス及びそれを貫通する内孔を持ち、該受けオリフィスは内孔を介してチャンバーとつながっており、該首部はさらに受けオリフィス及び／又は内孔とつながった内部表面を持ち、該内部表面はそれから伸びかつ首部の縦方向の伸長に対して実質的に同方向に伸長する複数のスプラインを持つ
を有する容器。
【請求項１０】
ａ) 受け本体壁を有する受け容器であって、該受け本体壁はその中に受けチャンバーを構成し、該受け容器は受け頭部を有し、該受け頭部は受け首部及び受け首部と受け本体壁の間を連結する受け肩部を有し、該受け首部はその中に受けオリフィス及びそれを貫通する受け内孔を有し、該受けオリフィスは受け内孔を介して受けチャンバーとつながっており、該受け首部はさらに受けオリフィス及び／又は受け内孔とつながる受け内部表面を有し、該受け内部表面はそれから伸びかつ受け首部の縦方向の伸長に対して実質的に同方向に伸長する複数のスプラインを有し、該スプラインはプラスチックで出来ている、受け容器を提供し；
ｂ）注入容器であって、該注入容器は注入チャンバーを構成し、該注入チャンバーはその中に内容物を有し、該注入容器はその中に注入オリフィス及びそれを貫通する注入内孔を有する注入首部を有し、該注入オリフィスは注入内孔を介して注入チャンバーとつながっており、該注入首部は受け容器のスプラインによって受け入れるのに適したねじ山を構成する注入外部表面を有し、該ねじ山はスプラインのプラスチックより硬い材質から成る、注入容器を提供し；
ｃ) 注入容器の注入首部を受け容器の受けオリフィスにさし込み、内容物を受け容器に移す
ことからなる、一つの容器の内容物を他の容器に導入する方法。
【請求項１１】
注入容器の注入首部を受け容器の受けオリフィス及び受け内孔にねじこむ請求項１０記載の方法。
【請求項１２】
材質が金属である請求項１記載の方法。
【請求項１３】
金属がアルミニウムである請求項１記載の方法。
【請求項１４】
プラスチックがエチレンポリマー又はプロピレンポリマーである請求項１０記載の方法。
【請求項１５】
受け容器はその中に液体発色剤を有し、注入容器の内容物は漂白粉を含み、液体発色剤及び漂白粉は混ざり合って毛髪着色組成物を形成する請求項１０記載の方法。
【発明の詳細な説明】
【技術分野】
【０００１】
本発明は、他の容器から内容物を移すことを容易にするための、スプラインを有する容器に関するものである。より詳しくは、本発明はスプラインを有するチューブ容器に関するものである。さらに詳しくは、本発明は一つの容器の内容物を他の容器に移すための方法に関するものである。
【背景技術】
【０００２】
チューブ容器を含む容器は、液体、ゲル、ペースト、粉末、軟膏及びクリームのような種々の形態の物を入れたり、注入したりするための技術において採用されている。
【０００３】
ある種の商業上の適用においては、一つの容器の内容物を他の容器に移すことは必要である。そのような移し替えを必要とする一般的な適用は毛染めであり、これは通常一つの容器から一つの反応性成分を、第二の反応性成分の入っている別の容器に移すことを必要とする。その反応性成分は混合し反応して着色成分を形成し、これがその後毛髪に適用される。毛髪染色成分の移し替えを達成する容器手段は米国特許No.4,506,783及び米国特許No.5,551,454に例示されている。
【０００４】
一般に一つの容器から別の容器に内容物を移す時に遭遇する問題点は、使用者によってこぼされることである。米国特許No.5,551,454で提示されている装置は、注入容器の外部ねじ山が受け容器の内部ねじ山としっかりとかみ合う方法を採用している。漏れを防ぐ効果がある一方において、その装置は内容物を移し替えている間に、受け容器からのガス抜きをさせないようにしている。ガス抜きをすることによってさらに効果的な移し替えが可能になる。さらに、内部ねじ山のある受け容器の製造は比較的むずかしく費用がかかるものである。
【０００５】
米国特許No.4,506,783で提示されている装置は同様に漏れを減らすが、欠点も存在する。その装置は硬い容器の内部に漂白粉の柔軟なバックを採用している。小さなオリフィスを通して現像液を袋に導入する。漏れの可能性は減少してはいるが、その装置は比較的複雑で、粉末／現像液混合物を硬い容器から取り出すことは困難であろう。
【０００６】
米国特許No.3,261,381及びNo.5,884,678は、反対側の端に外部ねじ山のある容器を受け入れるための、内部にねじ山のある連結器を提示している。この連結器の不利な点は、米国特許No.5,551,454で開示された装置で見られるものと同じである。内容物の移し替え時のガス抜きは起こらないであろう。さらに、その連結器には追加の費用が必要になってくるであろう。
【０００７】
米国特許No.5,533,553は、結合を可能にする双方に誘導面を有する、受け容器及び注入容器を提示する。漏れを防ぐのに効果がある一方、混ぜ合わせにより受け容器からのガス抜きが起こることはない。さらに、誘導面は比較的複雑で、製造が困難であろう。
【発明の開示】
【発明が解決しようとする課題】
【０００８】
注入容器から内容物を受け入れる容器を持つことは好ましいであろう。注入容器にしっかりとはまり、確実に連結する受け容器を持つことはさらに好ましいであろう。外部ねじ山のある首部を持つ注入容器を、受け入れるに適した受け容器を持つことはさらに好ましいであろう。チューブの形をした受け容器を持つことはさらに好ましいであろう。別の容器からの内容物をその中へ注入する時、ガス抜きが出来る受け容器を持つことはさらに好
ましいであろう。デザインにおいては比較的単純で、製造には経済的である受け容器を持つことはなおいっそう好ましいであろう。
【課題を解決するための手段】
【０００９】
〔発明の概要〕
本発明によれば、別の容器から内容物を受け入れるための容器が存在する。その容器は貯蔵部および首部を持っている。受け器はその中にチャンバーを持っている。頭部に首部を持っている。首部はその中に受けオリフィス及びそれを貫通している内孔を持っている。受けオリフィスは内孔を通してチャンバーと連結している。さらに首部は受けオリフィス及び／又は内孔につながった内部表面を持っている。内部表面はそれから伸長し、首部の縦方向の伸長に対し実質的に同方向である複数のスプラインを持つ。
【００１０】
さらに本発明によれば、チューブ容器が存在する。チューブ容器はチャンバーを構成する本体壁を持つ。チューブ容器はまた首部及び肩部を持つ頭部を持つ。肩部は首部及び本体壁の間を連結している。首部はその中に受けオリフィス及びそれを貫通する内孔を持つ。受けオリフィスはその内孔を介してチャンバーと連結している。さらに首部は受けオリフィス及び／又は内孔とつながる内部表面を持っている。内部表面はそれから伸長し、首部の縦方向の伸長に対して実質的に同方向である複数のスプラインを持つ。
【００１１】
さらに本発明によれば、一つの容器の内容物を他の容器に導き入れる方法が存在する。その方法は次のことを特徴としている：ａ）上記の容器に従がう最初の容器を提供する；ｂ）第二の容器を提供する；及びｃ）第一の容器のオリフィスに第二の容器の第二の首部を差込み、第一の容器に内容物を空になるまで入れる。スプラインはプラスチックで出来ている。第二の容器は第二のチャンバー及びそのチャンバー内に内容物を持つ。第二の容器は第二の首部を持ち、その首部はその中に第二のオリフィスおよびそれを貫通する第二の内孔を持つ。第二のオリフィスは第二の内孔を介して第二のチャンバーとつながっている。第二の首部は第一の容器のスプラインによって受け入れられるのに適したねじ山を形成している第二の外部表面を持つ。第二の首部のねじ山はスプラインのプラスチックより硬い金属で出来ている。
【００１２】
〔発明の詳細な説明〕
注入容器から内容物を受けるための受け容器が、注入容器としっかりはまり、確実に連結することは驚くべき発見であった。受け容器はまた、注入容器からの内容物がその中に入れられている時、ガス抜きをを可能としている。受け容器は外部ねじ山のある首部を持つ注入容器を受け入れられるようになっている。受け容器はまたチューブの形で作ることも可能である。受け容器はまたデザインが比較的に単純で、製造するのに経済的である。
【００１３】
図１は本発明のチューブ容器の実施態様を示し、一般的に参照番号１０によって示している。チューブ容器１０は本体壁３４を持ち、これはその中にチャンバー３２を形成している。チューブ容器１０はまた頭部１１を持ち、それは首部１２及び肩部３０を持つ。肩部３０は首部１２及び本体壁３４との間を連結し二つをつなげている。肩部３０は陸部分１８を持ち、これは首部１２及び肩部３０の接触面に位置している。図３に示すように、首部１２及び肩部３０はその中に前室３３を形成する。首部１２は外側首部１４及び受け首部２５を持つ。首部１２はさらに座部１２を持ち、これは外部首部１４および受け首部２５との間を連結し二つをつないでいる。受け首部２５はその中に受け入れオリフィス２６及びそこを貫通する内孔２８を持つ。図２に示すように、外部首部１４は外部ねじ山２０を持ち、これはキャップ（示してはいない）からのねじ山を受け入れるようになっている。受けオリフィス２６は内孔２８を介して前室３３及びチャンバー３２と連結している。受け首部２５はさらに、受けオリフィス２６及び内孔２８の配置を境界し形成する内部表面２２を持つ。図４に示すように内部表面２２は、受けオリフィス２６及び内孔２８のまわりの全周に、そしてまた内孔２８に沿って間隔を保ちながら、それから伸びる複数のスプライン２４を構成している。図１及び図３に示すように、一般にスプライン２４は受け首部２５の縦方向に伸びている。
【００１４】
本発明のチューブ容器の好ましい実施様態を図７に示し、一般的に参照番号７０で示している。チューブ容器７０は本体壁７１を持ち、これはその中のチャンバー９６を構成する。チューブ容器７０はまた頭部７２を持ち、これは外部首部７４、内部首部７６、受け首部８２及び肩部９２を持つ。肩部９２は外部首部７４及び本体壁７１の間を連結し、この二つをつなげている。肩部９２は陸地部９０を持ち、これは外部首部７４及び肩部９２の境界面に位置している。内部首部７６は外部首部７４及び受け首部８２と座部８０の位置で連結し、つないでいる。内部首部７６及び外部首部７４は、内部首部７６の外側で円周空間８４を形成するように接近している。外部首部７４は外部ねじ山７８を持ち、これはキャップ（図には示していない）からのねじ山を受け入れるに適している。図８に示すように、外部首部７４及び肩部９２はその中に前室９４を構成する。受け首部８２はその中に受けオリフィス８７及びそれを貫通する内孔８９を持つ。受けオリフィス８７は内孔８９を介して前室９４及びチャンバー９６と連結する。さらに受け首部８２は、受けオリフィス８７及び内孔８９の配置を境界し形成している内部表面８６を持つ。内部表面８６は、それから伸びていて受けオリフィス８７の全周に、内孔８９の周囲及びそれに沿って間隔を保って伸長している複数のスプライン８８を構成している。スプライン８８は受け首部８２の縦方向の伸長に対して実質的に同方向に伸びている。内部表面８６もまたテーパ付きの表面９１持ち、これは受け首部８２から外方向にその周りに受けオリフィス８７に隣接して伸びている。図５及び図６に示すように、テーパ付きの表面９１は、注入容器の首部が受け首部８２及び受けオリフィス８７に容易に接近出来るようにしている。
【００１５】
本発明の容器はより一般的には、図９に示す容器１００のようにも表わされる。容器１００は貯蔵部１０３を持ち、これはその中にチャンバー１０６を構成している。容器１００は頭部１０２を持つ。頭部１０２は円筒形の首部１０４及び肩部１０５を持つ。首部１０４はその中に受けオリフィス１０６及びそれを貫通する内孔１０８を持つ。受けオリフィス１０６は内孔１０８を通してチャンバー１０６とつながっている。首部１０４はさらに受けオリフィス１０６及び内孔１０８と接し、その周りをとりまく内表面１１０を持つ。内表面１１０はそれから伸びていて、一般には首部１０４の縦方向の伸長に対して実質的に同方向に伸びる複数のスプライン１１２を持つ。
【００１６】
一つの容器の内容物を他の容器に導き入れるための本発明の方法を図５及び図６に示す。一般的には、注入容器６０の外部ねじ山６７は、図７及び図８に示すものと同じ配置のその中にスプラインを持つ（図５及び図６では不明瞭であるが）受け容器４０の受け首部５４の中にねじ込まれる。注入容器６０の内容物（見えない）は重力及び／又は注入容器６０の機械的操作（例：震動又は絞り出し）の両方又は片方によって受け容器４０の中に流れ込む。内容物は注入チャンバー６８から注入首部６２の注入オリフィス６３を通して、受け首部５４の受けオリフィス５５に流れ込み、さらに受け容器５０に入る。内容物が注入容器６０から受け容器４０に流れ込むにつれて、受け容器４０内の置換された空気又はガスは注入容器６０の外部ねじ山６７の個々のねじ山に沿いその間から大気中に排出される。注入容器６０の他の特徴は、注入本体壁６６及び注入肩部６４であり、これは注入首部６２と連携して連続的に結合している。受け容器４０の他の特徴は、受け本体壁４８及び受け肩部４６であり、これは外部首部４２と連携して連続的に結合している。肩部４６及び外部首部４２の境界面は陸地部４４を構成している。外部首部４２は座５３を通して受けオリフィス５５と連携して結合している。
【００１７】
本発明の方法の有利な特徴は、注入容器の内容物を受け容器に移している時に起こる空気又はガスの排出である。受け容器内の容積が内容物によて置き換えられるにつれて、受
け容器内の空気又はガスは、注入容器の外部ねじ山及び受け容器のスプラインの間及びそれにそって大気中に排出される。
【００１８】
本発明の方法は毛髪染色成分を形成し毛髪を処理する上で有用である。漂白粉を液体発色剤と混ぜてその成分を形成することが出来る。漂白粉を注入容器から、液体発色剤の入っている受け容器に移すことにより毛髪染色組成物を形成することが出来る。逆に、液体発色剤を注入容器から漂白粉の入っている受け容器に移すことが出来る。その組成物は望みのレベルの光沢又は色調を得るのに十分な時間毛髪に適用する。その後、その組成物は毛髪から洗い落す。毛髪染色組成物を形成するための方法についてのさらなる教示は、参考のためにここで用いた米国特許No.5,551,454で述べられている。
【００１９】
本発明は、チューブ状の形態または構成の容器以外の受け容器に適用出来る。スプラインは、図９に示すビン型容器のようなどのような形の受け容器の一つ又は複数のオリフィスに簡単に適用出来る。
【００２０】
本発明の容器のスプラインはプラスチックで構成されている。スプラインがプラスチックで構成されていることは重要であり、そのことによってスプライン自身がねじれる(self-threading)、つまり、注入容器の外部ねじ山のある首部を受け容器の受けオリフィスの中にねじ込む時、スプラインがねじれるのである。注入容器の首部のねじ山は、スプラインのプラスチックより硬く、その首部のねじ山がスプラインをぬって行く（the threads of the neck will thread the splines）ような材質で構成されている。注入容器の外部ねじ山がスプラインをぬって行くというのは、ねじ山が受けオリフィス及び／又は内孔に入る時、スプラインに押し下げるか又はスプラインを変形させることを意味する。外部ねじ山は、スプラインの中にねじ込まれる。スプラインのプラスチックは、エチレンポリマー、プロピレンポリマー、ポリエチレンテレフタレート及びアリアミド類のようなパッケージ技術で知られているどのようなプラスチックで構成されていてもよい。有用なエチレンポリマーは低密度ポリエチレン、中密度ポリエチレン、高密度ポリエチレン及び直鎖低密度ポリエチレン及びそれらの混合物を含む。有用なプロピレン  ポリマーはポリプロピレンである。
【００２１】
スプライン以外の受け容器の部分は、プラスチック、金属、ガラス等ようなパッケージ技術で知られているどのような材質から構成されていてもよい。好ましくは、首部及び受け容器全体はプラスチックで構成され、スプラインの材質と同じであることがさらに好ましい。有用なプラスチックはスプラインのために上で記載した物を含む。
【００２２】
注入容器の外部ねじ山はスプラインを構成するプラスチックより硬いどのような材質で構成されていてもよい。有用な材質はプラスチック、金属、ガラス、セラミック等を含む。もし外部ねじ山がプラスチック製の場合は、そのプラスチックはスプラインのプラスチックより硬くなければならない。好ましくは、注入容器の外部ねじ山はアルミニウム又は鋼鉄のような金属で構成されている。アルミニウムが好ましい。
【００２３】
外部ねじ山以外の注入容器の部分は、プラスチック、金属、ガラス等のパッケージ技術で知れているどのような材質から構成されていてもよい。好ましくは、首部及び注入容器全体は金属で構成され、注入容器の外部ねじ山の材質と同じであることが最も好ましい。有用な金属は注入容器の外部ねじ山のために上で記載した材質を含む。
【００２４】
チューブ容器は押出し又は積層のような技術で知られているどのような方法によって製造されてもよい。押出しにおいては、プラスチックチューブは連続的に押し出され、その後チューブの本体壁を形成する個々の長さに切断される。その後、チューブの頭部はチューブの一端で加熱溶接又は接着され、キャップ又は先端が頭部にとりつけられる。チューブの開放端は普通に注入する製品で満たし、その後熱又は機械的な技法でシールする。積層においては、プラスチック又はプラスチック／金属のような素材のシートを、連続チューブを成形するためにチューブの形に巻き、シートの端にそってシールする。チューブを個別の長さに切り、頭部及びキャップを取り付け、開放端に製品を満たし、押し出しチューブと同様の方法で端をシールする。
【００２５】
スプラインを持つその部分を含むチューブ頭部は、射出成形のような技術で知られているどのような方法ででも成形することが出来るであろう。オリフィスに隣接するテーパ付き表面を持つスプラインを有するチューブ頭部は、テーパが必要とされる位置でテーパ成形する射出成形技術を用いることによって、又はテーパが必要とされる位置に無テーパ形状を成形する射出成形技術を用い冷却時の溶融プラスチックの自然の収縮を利用することによって、成形することが出来る。
【００２６】
前述の記載は本発明の説明にすぎないことを理解すべきである。この技術に習得した者ならば、本発明から離れない範囲で、いろいろの代替及び修正を工夫することが可能である。従って、本発明は付記した権利請請求項の範囲内にある全てのかかる代替、修正及び変更を含むことを意図している。
【図面の簡単な説明】
【００２７】
【図１】本発明によるチューブ容器の等角図である。
【図２】図１の容器の上部の拡大前面図である。
【図３】図２の３−３線に沿って切り取った断面図である。
【図４】図１の容器の拡大上面図である。
【図５】本発明によって係合されインターロックしている受け容器及び注入容器の前面図である。受け容器及び注入容器は部分図として示している。
【図６】図５における６−６線にそって切り取った断面図である。
【図７】本発明によるチューブ容器の別の実施態様の等角図である。
【図８】８−８線に沿って切り取った図７の容器の上部の切断面である。
【図９】本発明による容器の別の実施態様の等角図である。
【図１】
2005511428.tif 000003
【図２】
2005511428.tif 000004
【図３】
2005511428.tif 000005
【図４】
2005511428.tif 000006
【図５】
2005511428.tif 000007
【図６】
2005511428.tif 000008
【図７】
2005511428.tif 000009
【図８】
2005511428.tif 000010
【図９】
2005511428.tif 000011
【国際調査報告】
2005511428.tif 000012